(57)【特許請求の範囲】
【請求項１】
被払拭面を払拭する払拭部を有するワイパーブレードと、
前記ワイパーブレードの少なくとも一部を収容するブレード収容部を有するワイパーアームと、
前記ブレード収容部内に収容された状態で前記ワイパーブレードと前記ワイパーアームを結合する結合部材とを備え、
前記ワイパーアームは、天壁と、前記天壁の両側の側壁とを備え、
前記ブレード収容部は、前記天壁と前記両側側壁によって形成され、
前記両側の側壁の各々は、前記天壁と反対側の端縁に、前記結合部材を保持する保持部を備えたワイパー組み立て体。
【請求項２】
前記結合部材は、前記保持部が嵌合する嵌合部と、前記嵌合部と隣接して設けられた撓み部とを備え、前記撓み部が前記保持部と接触して撓むことにより、前記保持部を前記嵌合部内に導入し得るようになっている請求項１に記載のワイパー組み立て体。
【発明の詳細な説明】
【技術分野】
【０００１】
本発明は、ワイパーブレードとワイパーアームを備えたワイパー組み立て体に関する。また、本発明は、ワイパー組み立て体において、ワイパーブレードとワイパーアームを結合するための結合部材に関する。
【背景技術】
【０００２】
ワイパー組み立て体には、ワイパーアームにブレード収容部を備え、このブレード収容部内にワイパーブレードの少なくとも一部を収容した状態で、ワイパーアームによるワイパーブレードの保持を行うようにしたものがある。従来、このようなワイパー組み立て体においては、ワイパーブレードは、ワイパーアームに対してリベット等の連結ピンを介して、回動自在に連結されるようになっていた。
【先行技術文献】
【特許文献】
【０００３】
【特許文献１】特開２００６−７６５２３
【発明の概要】
【発明が解決しようとする課題】
【０００４】
しかしながら、このようにワイパーブレードとワイパーアームの連結をリベット等の連結ピンで行った場合、連結ピンがワイパーアームの外側に露出してしまうため、ワイパー組み立て体の外観を損なってしまっていた。また、連結ピンによる連結作業は、手間がかかるので、ワイパー組み立て体の組み立て作業を煩雑化していた。
【０００５】
本発明は、このような問題点に鑑みてなされたもので、ワイパーブレードとワイパーアームを備えたワイパー組み立て体及びワイパー組み立て体用結合部材において、ワイパー組み立て体の外観を向上させることができるとともに、ワイパーブレードとワイパーアームの連結作業を容易化できるワイパー組み立て体及びワイパー組み立て体用結合部材を提供することを目的とする。
【課題を解決するための手段】
【０００６】
本発明は、ワイパー組み立て体において、被払拭面を払拭する払拭部を有するワイパーブレードと、前記ワイパーブレードの少なくとも一部を収容するブレード収容部を有するワイパーアームと、前記ブレード収容部内に収容された状態で前記ワイパーブレードと前記ワイパーアームを結合する結合部材とを備え、前記ワイパーアームは、天壁と、前記天壁の両側の側壁とを備え、前記ブレード収容部は、前記天壁と前記両側側壁によって形成され、前記両側の側壁の各々は、前記天壁と反対側の端縁に、前記結合部材を保持する保持片を備えた。
【０００８】
前記結合部材は、前記保持部が嵌合する嵌合部と、前記嵌合部と隣接して設けられた撓み部とを備え、前記撓み部が前記保持部と接触して撓むことにより、前記保持部を前記嵌合部内に導入し得るようになっていてもよい。
【発明の効果】
【００１０】
本発明によれば、ワイパーブレード（例えばワイパーブレード３）を収容するブレード収容部（例えばブレード収容部２７）を備えたワイパー組み立て体（例えばワイパー組み立て体１又は１１）において、結合部材（例えばクリップ部材４又は１４）が、ブレード収容部内に収容された状態でワイパーブレードとワイパーアームを結合するようになっているので、ワイパーアームの外側表面に、結合部材の一部が露出することは無く、結果として、ワイパー組み立て体の美観を高めることができる。
【００１１】
また、ワイパーアームの側壁（例えば側壁２６）の天壁（例えば天壁２５）と反対側の端縁（例えば下端縁２６Ａ）に保持部（例えば保持片２９）を設け、この保持片によって結合部材が保持されるようにすれば、結合部材は、ワイパーアームのブレード収容部に嵌め込むだけで、ワイパーアームに取り付けることができるので、ワイパー組み立て体の組み立て作業は容易に行うことができる。
【００１２】
また、結合部材に、前記保持部が嵌合する嵌合部（例えば切り欠き部５４）と、嵌合部に隣接して設けられた撓み部（例えばアーム部５５）とを備え、撓み部が保持部と接触して撓むことにより、保持部を嵌合部内に導入し得るようにすれば、結合部材をワイパーアームに対してスライドさせることによって装着できるので、結合部材のワイパーアームへの装着作業は、極めて容易に行うことができる。さらに、結合部材をワイパーブレードに装着した状態でのワイパーアームへの組み付けも可能となるので、ワイパー組み立て体の組み立て作業を効率化できる。
【図面の簡単な説明】
【００１３】
【図１】本発明の第１実施形態におけるワイパー組み立て体を示す斜視図である。
【図２】同じくワイパー組み立て体を示す分解斜視図である。
【図３】同じくワイパー組み立て体を示す正面図である。
【図４】同じくワイパー組み立て体を示す平面図である。
【図５】同じくワイパー組宛て体を示す底面図である。
【図６】同じくワイパーブレードを示す正面図である。
【図７】同じくワイパーブレードを示す平面図である。
【図８】同じくワイパーブレードを示す底面図である。
【図９】同じくクリップ部材を示す斜視図である。
【図１０】同じくクリップ部材を示す正面図である。
【図１１】同じくクリップ部材を示す側面図である。
【図１２】同じくクリップ部材を示す平面図である。
【図１３】同じくクリップ部材を示す底面図である。
【図１４】同じくワイパー組み立て体の一部を示す斜視図であり、ワイパーアームのクリップ装着部にクリップ部材が装着される前の状態を示す。
【図１５】同じくワイパー組み立て体の一部を示す斜視図であり、ワイパーアームのクリップ装着部と隣接する位置にクリップ部材を挿入した状態を示す。
【図１６】同じくワイパー組み立て体の一部を示す斜視図であり、ワイパーアームのクリップ装着部にクリップ部材が装着された状態を示す。
【図１７】本発明の第２実施形態におけるワイパー組み立て体の全体構成を示す分解斜視図である。
【図１８】同じくワイパー組み立て体の全体構成を示す分解斜視図であり、クリップ部材がワイパーブレードに取り付けられた状態を示す。
【図１９】同じくワイパー組み立て体の全体構成を示す正面図であり、クリップ部材がワイパーブレードに取り付けられた状態を示す。
【図２０】同じくクリップ部材を示す斜視図である。
【図２１】同じくクリップ部材を示す正面図である。
【図２２】同じくクリップ部材を示す側面図である。
【図２３】同じくクリップ部材を示す平面図である。
【図２４】同じくワイパー組み立て体を示す斜視図であり、ワイパーブレード及び結合部材をワイパーアームに組み付ける途中の状態を示す。
【図２５】同じくワイパー組み立て体を示す斜視図であり、ワイパーブレード及び結合部材がワイパーアームに組み付けられた状態を示す。
【発明を実施するための形態】
【００１４】
以下、添付図面に基づいて本発明の実施形態について説明する。
図１から図５には、本発明の実施形態におけるワイパー組み立て体１の全体構成を示す。図示されるように、ワイパー組み立て体１は、ワイパーアーム２と、ワイパーアーム２によって保持されたワイパーブレード３とを備えている。
【００１５】
ワイパーアーム２は、基端側のアームヘッド２１と、アームヘッド２１に対して連結ピン２２を介して回動可能に連結されたアーム本体２３とを備えている。なお、アームヘッド２１は、ヘッドカバー２１Ａにより被覆されている。また、本実施形態においては、ワイパー組み立て体１の機械的な強度を高めるため、アームヘッド２１、連結ピン２２及びアーム本体２３は、いずれも金属から形成されているが、非金属材料（例えば樹脂）から形成することも可能である。
【００１６】
アームヘッド２１とアーム本体２３の間には、スプリング２４が設けられている。これにより、ワイパー組み立て体１の使用時において、スプリング２４が、アーム本体２３の連結ピン２２周りの回動に対して適切な力を与え、この結果、アーム本体２３に支持されたワイパーブレード３が、被払拭面（例えば自動車のガラス面）に対して適切な押し付け力で押し付けられるようになっている。
【００１７】
アーム本体２３は、ワイパーアーム２の主要部分を構成する長尺部材であり、天壁２５と、天壁２５の長手方向の両側から下方に延びる両側の側壁２６とから構成されている。また、天壁２５と両側側壁２６で囲まれた空間は、ワイパーブレード３の支持部３２を収容するブレード収容部２７となっている。
【００１８】
ブレード収容部２７の長手方向の略中央部には、クリップ部材４が装着されるクリップ装着部２８が設けられている。クリップ装着部２８には、装着されたクリップ部材４を保持するための一対の保持片２９が設けられている。保持片２９は、それぞれ、各側壁２６の下端縁２６Ａから反対側の側壁２６に向けて、側壁２６に対して直角に延び出している。
【００１９】
図５から図８にも示すように、ワイパーブレード３は、ブレード部３１と、ブレード部３１を上側から支持する支持部３２とを備えている。ブレード部３１は、被払拭面を払拭するための長尺の払拭部材であり、ゴムから形成されている。
【００２０】
支持部３２は、ブレード部３１と略同じ長さを有する長尺部材である。支持部３２の要所には、下方に向けて延びる複数の爪部３３が設けられており、これらの爪部３３によって、ブレード部３１が支持されるようになっている。なお、本実施形態では、ワイパー組み立て体１の軽量化及びコスト削減のため、支持部３２は、全体が樹脂から形成されているが、樹脂以外の材料（例えば金属）から形成することも可能である。
【００２１】
支持部３２の両側側面３４の長手方向略中央部には、それぞれ連結凹部３５が形成されている。各連結凹部３５は、各側面３４の上端縁３４Ａ付近に形成されており、各連結凹部３５との上端縁３４Ａの間には、それぞれ導入溝３６が形成されている。これにより、クリップ部材４に対してワイパーブレード３を取り付けるときには、クリップ部材４の連結凸部４３が、これらの導入溝３６を通って、連結凹部３５に導かれるようになっている。
【００２２】
また、支持部３２の両側の側壁３４には、複数の突起部３７が形成されている。本実施形態においては、連結凹部３５の長手方向の両側に１個ずつ、合計４個の突起部３７が設けられている。これにより、ワイパーブレード３をアーム本体２に装着したとき、これらの突起部３７が、アーム本体２の両側側壁２６の内向き面２６Ｂ（ブレード収容部２７側を向いた面）に当接する結果、ワイパーブレード３の支持部３２が、アーム本体２のブレード収容部２７内の適切な位置に安定して保持されるようになっている。したがって、ワイパー組み立て体１の構造的強度が高められる。
【００２３】
一方で、ワイパーブレード３とワイパーアーム２の接触箇所は突起部３７となるので、ワイパーブレード３とワイパーアーム２との接触面積を小さくできる。したがって、ワイパーブレード３の回動時の摩擦抵抗を小さくすることができるので、ワイパー組み立て体１の使用時において、ワイパーブレード３の適切な回動動作が阻害されることがないようになっている。
【００２４】
突起部３７は、ワイパーブレード３がワイパーアーム２に対して回動したときにアーム本体２３の側壁２６の内向き面２６Ｂと接触し続ける範囲で、連結凹部３５から長手方向に最も離れた位置に設けられる。これにより、ワイパーブレード３に対して横方向の外力が作用した場合、支点である連結凹部３５から十分に離れた位置にある突起部３７において、この外力が受け止められることになるので、支持部３２にかかる負荷を小さくすることができ、支持部３２の折損を適切に防止することができる。
【００２５】
図９から図１４にも示すように、クリップ部材４は、天壁４１と両側の側壁４２とからなる断面コの字型の部材であり、アーム本体２３のクリップ装着部２８にちょうど嵌合するような大きさと形状を有している。また、クリップ部材４は、ある程度の可撓性を有しており、クリップ部材４の各側壁４２が、反対側の側壁４２に向けて撓むことができるようになっている。なお、本実施形態において、クリップ部材４は、樹脂成型により形成されている。
【００２６】
クリップ部材４の両側の側壁４２の内向き面４２Ａには、それぞれ連結凸部４３が突設されている。これらの連結凸部４３が、ワイパーブレード３の連結凹部３５に嵌合することにより、ワイパーブレード３がクリップ部材４を介してワイパーアーム２に連結され、ワイパーブレード３は、ワイパーアーム２に対して連結凸部４３の周りで回動可能に支持されるようになっている。
【００２７】
なお、各連結凸部４３の頂部には、下向きの傾斜部４３Ａが形成されている。これにより、ワイパーブレード３をクリップ部材４に装着するとき、連結凸部４３が、傾斜部４３Ａから導入溝３６に導入され、連結凹部３５に向けてスムーズに嵌合していくことができるようになっている。
【００２８】
クリップ部材４の両側側壁４２の下端縁４２Ｂには、切り欠き部４４が形成されている。ワイパーアーム２にクリップ部材４を装着したときには、切り欠き部４４に、アーム本体２３の保持片２９が嵌まり込むことにより、クリップ部材４が、アーム本体２３のクリップ装着部２８内に保持されるようになっている。
【００２９】
図１４から図１６には、クリップ部材４をアーム本体２３のクリップ装着部２８内に取り付ける装着手順を示す。クリップ部材４の装着においては、図１４に示すように、クリップ部材４を、天壁４１側から、アーム本体２３のブレード収容部２７内に挿入していく。
【００３０】
この場合、クリップ部材４の挿入位置は、図１５に示すように、クリップ装着部２８ではなく、クリップ装着部２８に対して長手方向に隣接する位置とする。これにより、挿入作業時に、クリップ部材４が、アーム本体２３の保持片２９と干渉することはない。
【００３１】
続いて、図１６に示すように、クリップ部材４を、クリップ装着部２８に向けてスライドさせていく。この場合、クリップ部材４の両側側壁４２を内側に撓ませることにより、クリップ部材４は、クリップ装着部２８に設けられた保持片２９を潜り抜けて、クリップ装着部２８内に向けて移動していくことができる。このようにして、クリップ部材４がクリップ装着部２８内に配置されたら、クリップ部材４の両側側壁４２の撓みを元に戻すことにより、保持片２９が、クリップ部材４の切り欠き部４４内に嵌合する。これにより、クリップ部材４は、保持片２９によって、クリップ装着部２８内に適切に保持される。
【００３２】
以上のように、本実施形態のワイパー組み立て体１によれば、クリップ部材４は、ワイパーアーム２のブレード収容部２７（クリップ装着部２８）内に完全に収容された状態でワイパーブレード３とワイパーアーム２を連結するので、ワイパーアーム２の外側表面には、クリップ部材４の一部が露出することは無く、ワイパー組み立て体１の美観を高めることができる。
【００３３】
また、ワイパーアームの側壁２６に保持片２９を設け、保持片２９がクリップ部材４の切り欠き部４４に嵌合することにより、クリップ部材４が保持されるようになっているので、クリップ部材４をワイパーアーム２のクリップ装着部２８に嵌め込むだけで、クリップ部材４のワイパーアーム２への装着を行うことができる。したがって、クリップ部材４のワイパーアーム２への装着作業は、容易に行うことができる。
【００３４】
また、クリップ部材４の両側側壁４２は、撓み得るようになっているので、クリップ部材４のワイパーアーム２への装着時には、両側側壁４２を内側に撓ませることにより、クリップ部材４は、ワイパーアーム２の両側側壁２６の下端縁２６Ａから内側に延びる保持片２９と干渉することなく、ワイパーアーム２のクリップ装着部２８に装着することができる。
【００３５】
図１７から図１９には、本発明の第２実施形態のワイパー組み立て体１１の全体構成を示す。図示されるように、ワイパー組み立て体１１は、ワイパーアーム２と、ワイパーブレード３と、クリップ部材１４とを備えている。本実施形態において、ワイパーアーム２及びワイパーブレード３の構成は、上記第1実施形態と同一である。したがって、ワイパーアーム２及びワイパーブレード３の各部については、上記第1実施形態と同一の符号で表し、説明は省略する。
【００３６】
図２０から図２３に示すように、クリップ部材１４は、上記第1実施形態のクリップ部材４と同様に、天壁５１と両側の側壁５２とからなる断面コの字型の部材であり、アーム本体２３のクリップ装着部２８にちょうど嵌合するような大きさと形状を有するように、樹脂成型により形成されている。また、クリップ部材１４の両側の側壁５２の内向き面５２Ａには、それぞれ連結凸部５３が突設されており、これらの連結凸部５３が、ワイパーブレード３の連結凹部３５に嵌合することにより、ワイパーブレード３がクリップ部材４を介してワイパーアーム２に対して連結凸部５３の周りで回動可能に支持される点も、上記第1実施形態のクリップ部材４と同様である。さらに、クリップ部材１４の両側側壁５２の下端縁５２Ｂには、切り欠き部５４が形成されており、ワイパーアーム２にクリップ部材１４を装着したときには、切り欠き部５４に、アーム本体２３の保持片２９が嵌まり込むことにより、クリップ部材１４が、アーム本体２３のクリップ装着部２８内に保持される点も、上記第1実施形態のクリップ部材４と同様である。
【００３７】
本実施形態のクリップ部材１４は、切り欠き部５４に隣接して設けられたアーム部５５を有している。詳しく説明すると、クリップ部材１４の各側壁５２の下端縁５２Ｂには、切り欠き部５４の前端側に隣接するように、切り欠き部５４よりも更に上方に深く切り込まれた凹部５６が形成されている。アーム部５５は、凹部５６の下方に配置されるように、側壁５２の前端部５２Ｃから延接され、切り欠き部５４に向けて、下端縁５２Ｂに平行に延びている。アーム部５５の先端部５５Ａは、切り欠き部５４と隣接して配置された自由端部となっており、アーム部５５は、凹部５６側に向けて撓むことができるようになっている。
【００３８】
アーム部５５の先端部５５Ａは、切り欠き部５４側を向いた段部５５Ｂが形成されるように、下側が切り欠かれている。これにより、クリップ部材１４がワイパーアーム２に装着されたときには、保持片２９の長手方向の前端及び後端が、それぞれ段部５５Ｂ及び切り欠き部５４の後端部５４Ａに係合する。保持片２９は、段部５５Ｂ及び切り欠き部５４の後端部５４Ａの間に挟持されて、切り欠き部５４内に保持されるようになっている。
【００３９】
アーム部５５の下端縁の略中央には、基端側（切り欠き部５４と反対側）を向いた傾斜部５５Ｃが形成されている。後述するように、クリップ部材１４をワイパーアーム２に装着するとき、ワイパーアーム２の保持片２９が、アーム部５５の傾斜部５５Ｃに当接することにより、アーム部５５を上方に（凹部５６内に）押し上げ、保持部２９がアーム部５５の下側を潜り抜けることにより、保持部が切り欠き部５４内にスムーズに導入されていくようになっている。
【００４０】
次に、本実施形態のクリップ部材１４を用いたワイパー組み立て体１１の組み立て作業について説明する。組み立てにおいては、まず図１８に示すように、ワイパーブレード３にクリップ部材１４を装着する。この装着作業は、クリップ部材１４の連結凸部５３をワイパーブレード３の連結凹部３５に嵌合させるだけであるので、極めて容易に行うことができる。
【００４１】
次に、図２４に示すように、クリップ部材１４が装着された状態のワイパーブレード３を、クリップ部材１４がワイパーアーム２のクリップ装着部２８に隣接する位置に配置されるように、ワイパーアーム２のブレード収容部２７内に挿入する。この場合、クリップ部材１４のアーム部５５側（前端側）が、クリップ装着部２８側に配置されるようにしておく。
【００４２】
続いて、クリップ部材１４がワイパーアーム２のクリップ装着部２８に向けて移動するように、ワイパーブレード３をワイパーアーム２の長手方向にスライドさせていく。このようにして、クリップ部材１４のアーム部５５が、ワイパーアーム２の保持片２９に接触すると、アーム部５５は保持片２９により押し上げられるので、クリップ部材１４は保持片２９をスムーズに乗り越えて、クリップ装着部２８側にスライドしていくことができる。
【００４３】
このようにして、クリップ部材１４がワイパーアーム２のクリップ装着部２８に達すると、図２５に示すように、クリップ部材１４の切り欠き部５４に、ワイパーアーム２の保持片２９が嵌合し、ワイパーブレード３及び結合部材１４のワイパーアーム２に対する取り付けが完了する。
【００４４】
以上のように、本実施形態のクリップ部材１４によれば、ワイパーブレード３にクリップ部材１４を装着した状態で、ワイパーブレード３をワイパーアーム２のブレード収容部２７内でスライドさせるだけで、ワイパーブレード３をワイパーアーム２に、極めて容易に連結することができる。したがって、ワイパー組み立て体１１の組み立て作業を効率化できる。また、本実施形態のクリップ部材１４も、上記第１実施形態のクリップ部材４と同様に、ワイパーアーム２の内側に完全に収容された状態で、ワイパーブレード３とワイパーアーム２を結合することができるので、ワイパーアーム２の外観を損なうことは無く、ワイパー組み立て体１１の美観が向上する。
【符号の説明】
【００４５】
１  ワイパー組み立て体
２  ワイパーアーム
３  ワイパーブレード
４  クリップ部材
１１  ワイパー組み立て体
１４  クリップ部材
２１  アームヘッド
２１Ａ  ヘッドカバー
２２  連結ピン
２３  アーム本体
２４  スプリング
２５  アーム本体の天壁
２６  アーム本体の側壁
２６Ａ  側壁の下端縁
２６Ｂ  側壁の内向き面
２７  ブレード収容部
２８  クリップ装着部
２９  保持片
３１  ブレード部
３２  支持部
３３  爪部
３４  支持部の側面
３４Ａ  側面の上端縁
３５  連結凹部
３６  導入溝
３７  突起部
４１  クリップ部材の天壁
４２  クリップ部材の側壁
４２Ａ  側壁の内向き面
４２Ｂ  側壁の下端縁
４３  連結凸部
４３Ａ  連結凸部の傾斜部
４４  切り欠き部
５１  クリップ部材の天壁
５２  クリップ部材の側壁
５２Ａ  側壁の内向き面
５２Ｂ  側壁の下端縁
５２Ｃ  側壁の前端部
５３  連結凸部
５４  切り欠き部
５４Ａ  切り欠き部の後端部
５５  アーム部
５５Ａ  アーム部の先端部
５５Ｂ  アーム部の段部
５５Ｃ  アーム部の傾斜部
５６  凹部
【要約】      （修正有）【課題】ワイパーブレードとワイパーアームを備えたワイパー組み立て体及びワイパー組み立て体用結合部材において、ワイパー組み立て体の外観を向上させることができるとともに、ワイパーブレードとワイパーアームの連結作業を容易化できるワイパー組み立て体及びワイパー組み立て体用結合部材を提供する。【解決手段】ワイパー組み立て体１において、ワイパーアーム２のブレード収容部２７にクリップ収容部２８を備え、クリップ部材４が、クリップ収容部２８内に収容された状態で、ワイパーブレード３とワイパーアーム２を結合するようにした。ワイパーアーム２の両側側壁２６の下端縁２６Ａに保持片２９を設け、クリップ部材４の切り欠き部に保持片２９が嵌合することにより、クリップ部材４が保持されるようにした。【選択図】図２【図１】
0006017647.tif 000002
【図２】
0006017647.tif 000003
【図３】
0006017647.tif 000004
【図４】
0006017647.tif 000005
【図５】
0006017647.tif 000006
【図６】
0006017647.tif 000007
【図７】
0006017647.tif 000008
【図８】
0006017647.tif 000009
【図９】
0006017647.tif 000010
【図１０】
0006017647.tif 000011
【図１１】
0006017647.tif 000012
【図１２】
0006017647.tif 000013
【図１３】
0006017647.tif 000014
【図１４】
0006017647.tif 000015
【図１５】
0006017647.tif 000016
【図１６】
0006017647.tif 000017
【図１７】
0006017647.tif 000018
【図１８】
0006017647.tif 000019
【図１９】
0006017647.tif 000020
【図２０】
0006017647.tif 000021
【図２１】
0006017647.tif 000022
【図２２】
0006017647.tif 000023
【図２３】
0006017647.tif 000024
【図２４】
0006017647.tif 000025
【図２５】
0006017647.tif 000026